(57)【特許請求の範囲】
【請求項１】
マンホール内に嵌脱可能に配設する支持体と、前記マンホールの内面に接する外縁側に少なくとも１の切欠き面を形成し、該支持体に支持された板状の断熱性閉塞体と、前記マンホールの内面と切欠き面との間を閉塞するように該断熱性閉塞体に取着され、上方からの荷重により開弁動作する遮断弁吐から構成してなるマンホール用断熱防臭装置。
【請求項２】
前記断熱性閉塞体は上面を凸湾曲面に形成してあることを特徴とする請求項１記載のマンホール用断熱防臭装置。
【請求項３】
マンホール内に嵌脱可能に配設する支持体と、外縁が前記マンホールの内面に接し、内側に排水穴を形成し、該支持体に支持された板状の断熱性閉塞体と、前記排水穴を閉塞するように該断熱性閉塞体に取着され、上方からの荷重により開弁動作する遮断弁とから構成してなるマンホール用断熱防臭装置。
【請求項４】
前記断熱性閉塞体は上面を凹湾曲面に形成してあることを特徴とする請求項３記載のマンホール用断熱防臭装置。
【発明の詳細な説明】
【０００１】
本発明は、生活排水等の暖気がマンホールの蓋体上の積雪を融解して路面に穴を形成したり、異臭が地上に漏洩するのを防止するようにしたマンホール用断熱防臭装置に関する。
【０００２】
【従来の技術】
降雪地の道路は幹線道路を除いては降雪の度毎に除雪作業を行わう訳ではないため、路面には人や車両の通行によって次第に雪が固く堆積した状態になる。他方、日常生活において給湯装置や暖房装置が普及したことに伴なって暖かい生活排水が大量に下水道に放出されることから、マンホールの蓋体が暖気によって暖められて蓋体上の積雪だけが融解するために路面に大きな穴が形成される現象が起きている。この融雪穴は真冬には深さ２０〜２５ｃｍにもなるため、歩行者がこの穴に足を取られて捻挫したり骨折する原因になっている。また、走行中の車両が融雪穴に車輪を落としてハンドルを取られて交通事故を起こしたり、緩衝装置を破損する事故を招いている。そこで、近年マンホールの蓋体の融雪現象を防止する対策が検討されており、例えば蓋体の裏面に断熱材を取り付けて蓋体が加温される現象を抑制する方法等が提案されている。
【０００３】
また、季節に関係なく下水道には様々な廃棄物が投棄されているために異臭が発生しているが、この異臭がマンホール内を上昇して地上に漏出し、周囲の環境を汚染するという問題もある。
【０００４】
【発明が解決しようとする課題】
しかし、蓋体の裏面を断熱材で覆うと、外気温が上昇した時の融雪水が蓋体を介してマンホール内に排水されないために蓋体の上に水溜まりができる結果、蓋体上の融雪を促進することになり結局は融雪穴を形成してしまうという欠点がある。しかし、このようなマンホールの蓋体上に融雪穴が形成される現象を防止できる有効な手段は未だ提案されていない。また、マンホールからの異臭の漏出は地域的な問題であるという側面があるし、費用の問題も絡んでくるために異臭の漏出を積極的に防止する手段も今まで提供されていない。
【０００５】
本発明は上述した従来技術が未解決の問題点を解決すべくなされたもので、積雪路面に融雪穴が形成されるのを可及的に防止することにより交通の安全を確保し、また下水道からマンホールを介して異臭が地上に漏出する現象を防止して環境を良好に維持することができるマンホール用断熱防臭装置を提供することを目的とする。
【０００６】
【課題を解決するための手段】
上述した課題を解決するために構成された請求項１の本発明の手段は、マンホール内に嵌脱可能に係着する支持体と、前記マンホールの内面に接する外縁側に少なくとも１の切欠き面を形成した板状体からなり、該支持体に支持された断熱性閉塞体と、前記マンホールの内面と切欠き面との間を閉塞するように該断熱性閉塞体に取着され、上方からの荷重により開弁動作する遮断弁とからなる。
【０００７】
そして、前記断熱性閉塞体は上面を凸湾曲面に形成するとよく、こうすることにより断熱性閉塞体上にゴミ等の異物が堆積するのを防止できる。
【０００８】
また、請求項２の発明の手段は、マンホール内に嵌脱可能に配設する支持体と、外縁が前記マンホールの内面に接し、内側に排水穴が形成された板体からなり、該支持体に支持された断熱性閉塞体と、前記排水穴を閉塞するように該断熱性閉塞体に取着され、上方からの荷重により開弁動作する遮断弁とからなる。
【０００９】
そして、前記断熱性閉塞体は上面を凹湾曲面に形成するとよく、こうすることにより断熱性閉塞体上にゴミ等の異物が堆積するのを防止できる。
【００１０】
【発明の実施の形態】
以下、本発明の実施の形態を図面に基づき詳述する。図１ないし図５は第１の実施の形態を示す。図において、１はコンクリート製円筒体からなる公知のマンホールを示し、該マンホール１は下端側が排水暗渠に連通し、上部は鋳鉄製の蓋体（いずれも図示せず。）によって施蓋できるようになっている。
【００１１】
２は前記マンホール１内に嵌合した支持体を示す。３は該支持体２を構成する支持枠で、該支持枠３はマンホール１の内周面１Ａと略同じ曲率に形成した一対の弧状枠材３Ａ、３Ａと、該弧状枠材３Ａ、３Ａの中間に架設した凸湾曲状の主材３Ｂと、該主材３Ｂと平行に弧状枠材３Ａ、３Ａの両端に接続した一対の直線状枠材３Ｃ、３Ｃと、主材３Ｂに直交して該直線状枠材３Ｃ、３Ｃ間に架設した凸湾曲状の３本の受材３Ｄ、３Ｄ、３Ｄを格子状に連結することにより構成してある。そして、前記支持枠３には上向きに９本の係止ピン４、４、・・・が突設してあり、該各係止ピン４には金属或は合成樹脂製の円筒状スペーサ５が挿嵌してある。また、支持体２は発錆を考慮してステンレス材で構成するか、或は鋼材に防錆処理を施してある。
【００１２】
６は例えば発泡ウレタン等の断熱性材料によって成形した断熱性閉塞体を示す。該断熱性閉塞体６は上面６Ａが凸湾曲面に、下面６Ｂが凹湾曲面をなし、外周面６Ｃがマンホール１の内周面１Ａに密接する円板状に形成してあるが、径方向両側には外周面６Ｃ側を弓形に欠如させた状態で一対の切欠き面６Ｄ、６Ｄが形成してある。そして、断熱性閉塞体６の下面６Ｂには前記係止ピン４、４、・・・の位置に対応してピン挿入穴６Ｅ、６Ｅ、・・・が形成してあり、該各ピン挿入穴６Ｅに係止ピン４を挿入することにより断熱性閉塞体６は支持体２を覆った状態で係着支持されている。
【００１３】
７、７は前記切欠き面６Ｄ、６Ｄから径方向に突出した状態で断熱性閉塞体６の下面６Ｂに取着した一対の遮断弁を示す。該各遮断弁７はゴム或は軟質合成樹脂等の弾性材料によって外縁７Ａがマンホール１の内周面１Ａに当接するように平面略弓形状に形成してあり、弦側には３個のピン挿通穴（図示せず。）が形成してある。そして、各遮断弁７は各ピン挿通穴に係止ピン４を挿入することによって、外縁７Ａ側を自由端にした状態で断熱性閉塞体６とスペーサ５との間に挟持されており、上方から滞留水Ａの荷重が掛かると矢示イ方向の下方に変形するようになっている。かくして、断熱性閉塞体６と一対の遮断弁７、７により全体がマンホール１の内径と略同一の円形をなしており、断熱性閉塞体６の外周面６Ｃと一対の遮断弁７、７の外縁７Ａがマンホール１の内周面１Ａに当接することにより、マンホール１内を上側と下側に遮断した状態になっている。
【００１４】
８、８、・・・は断熱性閉塞体６を係着支持した支持体２をマンホール１内に嵌脱可能に支持する複数個の係止片で、該各係止片８は金属材或は合成樹脂材により略Ｌ型に形成してあり、マンホール１の内周面１Ａに突設してある。
【００１５】
上述の構成からなる本実施の形態に係るマンホール用断熱・防臭装置は、断熱性閉塞体６と一対の遮断弁７、７とによってマンホール１内の下方側と上方側を常時遮断した状態になっており、蓋体を介してマンホール１内に流入した融雪水や雨水は断熱性閉塞体６および遮断弁７、７の上に滞留した状態になっている。このため、マンホール１内を上昇する暖気は断熱性閉塞体６と遮断弁７がその上昇を阻止する共に、滞留水Ａがマンホール１内を上、下に遮断する結果、暖気の上昇を完全に阻止することができ、蓋体上の積雪の融解を抑制することができる。また、同様の原理によりマンホール内を上昇する異臭が蓋体を介して地上に漏出する現象を防止することができる。
【００１６】
他方、滞留水Ａの量が増大して所定量に達すると、各遮断弁７が荷重によって図５中矢示イ方向に撓んで開弁する結果、滞留水Ａは下方に放出されることにより蓋体を介して地上に湧出するといった事態や、滞留水Ａが長期間滞留して腐敗するといった事態を防止することができる。滞留水Ａが放出されると、遮断弁７は弾性力により復帰して閉弁状態になる。そして、断熱性閉塞体６の上面６Ａは凸湾曲面に形成することにより滞留水Ａに混入している異物も排出時に排出できるから、断熱性閉塞体６上に異物が堆積することがないし、遮断弁７とマンホール１との間に異物を咬み込むことなく確実に閉弁できる。
【００１７】
なお、本実施の形態では、断熱性閉塞体６に径方向に一対の切欠き面６Ｄ、６Ｄを設けたが、切欠き面は１面でも３面以上設けてもよいものである。
【００１８】
次に、図６および図７は第２の実施の形態を示す。なお、前述した第１の実施の形態の構成要素と同一の構成要素には同一の符号を付して援用し、その説明を省略する。図において、１１は支持体を示し、該支持体１１はマンホール１内に嵌合可能な直径に設定した円環状の外枠材１２Ａと、該外枠材１２Ａに格子状に連結した支持材１２Ｂ、１２Ｂ、・・とから支持枠１２を構成し、支持材１２Ｂ、１２Ｂが交差する位置と中央の位置に上向きに突設した係止ピン１３、１３、・・・とから構成してあり、各係止ピン１３には合成樹脂製の円筒状スペーサ１４が挿嵌してある。
【００１９】
１５は例えば発泡ウレタン等の断熱性材料によって成形した断熱性閉塞体を示す。該断熱性閉塞体１５は上面１５Ａが凹湾曲面に、下面１５Ｂが凸湾曲面をなし、外周面１５Ｃがマンホール１の内周面１Ａに密接する円板からなっており、中央には排水穴１５Ｄ、下面１５Ｂには前記係止ピン１３、１３、・・・の位置に対応してピン挿入穴１５Ｅ、１５Ｅ、・・・が形成してある。そして、該各ピン挿入穴１５Ｅに係止ピン１３を挿入することにより断熱性閉塞体１５は支持体１１を覆った状態で係着支持されている。
【００２０】
１６は前記断熱性閉塞体１５の下面１５Ｂに取着され、排水穴１５Ｄを常時は閉弁する遮断弁を示す。該遮断弁１６はゴム或は軟質合成樹脂等の弾性材料によって弁体１６Ａと取付片１６Ｂを一体に形成したものからなっている。遮断弁１６を設けた断熱性閉塞体１５を支持する支持体１１は、複数個の係止片８、８・・・によってマンホール１内に嵌脱可能に配設してある。
【００２１】
上述の構成からなる本実施の形態によれば、断熱性閉塞体１５と遮断弁１６によってマンホール１内は上側と下側に遮断しており、断熱性閉塞体１５の凹湾曲面からなる上面１５Ａに雨水や融雪水等が滞留することによってマンホール１内は上、下が完全に遮断される結果、暖気や異臭が蓋体側に上昇するのを防止することができる。そして、滞留水Ａが一定量に達すると遮断弁１６が開弁して排出穴１５Ｄから放出される。
【００２２】
そして、断熱性閉塞体１５は上面１５Ａを凹湾曲面に形成することにより滞留水Ａに混入している異物も一緒に排出できるから、断熱性閉塞体１５上に異物が堆積することがないし、遮断弁１６と断熱性閉塞体１５との間に異物を咬み込むことなく確実に閉弁できる。
【００２３】
また、第１および第２の実施の形態において、支持体２、１１は断熱性閉塞体６、１５の下側に位置させることにより雨水や融雪水に接触しない構成にしたから、支持体２、１１を金属材で構成した場合でもその発錆を防止できる。
【００２４】
更に、第１および第２の実施の形態において、断熱性閉塞体６、１５の外周面６Ｃ、１５Ｃとマンホール１の内周面１Ａとの間はシール剤により密閉することにより、マンホール１内の遮断性をより高めることができる。
【００２５】
更に、第１および第２の実施の形態において、断熱性閉塞体６、１５はマンホール１内が増水した場合には浮力により上昇するから、断熱性閉塞体６、１５に無理な力が加わることがなく、耐久性に優れている。
【００２６】
【発明の効果】
本発明は以上詳述した如く構成したから、下記の諸効果を奏する。
（１）本発明装置はマンホール内の途中を閉塞して上下を遮断すると共に、滞留水を蓄えることにより、生活排水等の暖気が上昇して蓋体を加温するのを確実に防止することができるから、蓋体上の積雪が融解する現象を防止することができる。従って、融雪穴のない積雪路面に保持できるから、歩行者や車両は安全に通行することができる。
（２）上記１と同じ理由により生活排水等から発生する異臭が地上に漏出するのを防止し、環境を良好に維持することができる。
（３）マンホール内に流入した雨水や融雪水によって滞留水が所定量に達すると、遮断弁が荷重により開弁して滞留水を下方に放出するから、滞留水が地上に湧出することもなく、設置上の安全性に優れている。
（４）断熱性閉塞体の上面を凸湾曲状または凹湾曲状に形成することにより、路上から侵入した異物を滞留水と共に排出するようにしたから、断熱性閉塞体上に異物が堆積することがないし、遮断弁が閉弁不良になることもない。
【図面の簡単な説明】
【図１】  図１ないし図５は本発明の第１の実施の形態に係り、図１はマンホール用断熱防臭装置の平面図である。
【図２】            マンホール用断熱防臭装置の底面図である。
【図３】    図１中のＩＩＩ−ＩＩＩ矢印方向拡大断面図である。
【図４】    図１中のＩＶ−ＩＶ矢印方向拡大断面図である。
【図５】  図４と同様の位置で遮断弁の開弁状態を示す拡大縦断面図である。
【図６】            図６及び図７は第２の実施の形態に係り、図６はマンホール用断熱防臭装置の底面図である。
【図７】            マンホール用断熱防臭装置の拡大縦断面図である。
【図１】
0004019292.tif 000002
【図２】
0004019292.tif 000003
【図３】
0004019292.tif 000004
【図４】
0004019292.tif 000005
【図５】
0004019292.tif 000006
【図６】
0004019292.tif 000007
【図７】
0004019292.tif 000008